(57)【要約】      （修正有）【課題】家庭又は食堂等から出る生ゴミの処理に当たり、生ゴミから異臭が発生する事を防止し、かつ十分な発酵をさせる事が出来る醗酵容器を提供する。【解決手段】発酵袋１０を蓋付き容器本体２内に収納する発酵容器１であり、容器本体２の底に多孔質体９を載置し、生ゴミ２０と生ゴミ分解微生物製剤２１を発酵袋１０に収納し、蓋５と本体容器２を通気性と保温を確保できるように形成する。【選択図】図１
0003182563.tif 000002
【実用新案登録請求の範囲】
【請求項１】
発酵袋を蓋付き容器本体内に収納して生ゴミを発酵させる発酵容器であって、
容器本体の底部の上に多孔質体を載置し、
生ゴミと生ゴミ分解微生物製剤を前記発酵袋に収納し、
蓋と本体容器を通気性と保温を確保できるように形成することを特徴とする発酵容器。
【請求項２】
請求項１の発酵容器であって、
蓋と本体容器をメッシュ網で形成することを特徴とする発酵容器。
【請求項３】
請求項１又は請求項２の発酵容器であって、
発酵袋内中央の底に攪拌紐を取り付けてあることを特徴とする発酵容器。
【請求項４】
請求項１からは請求項３のいずれか１項の発酵容器であって、
多孔質体をトレーに載置することを特徴とする発酵容器。
【考案の詳細な説明】
【技術分野】
【０００１】
本願考案は、家庭又は食堂等から出る生ゴミを簡便に処理できる生ゴミの醗酵容器に関する。
【背景技術】
【０００２】
従来、家庭等からでる生ゴミの処理は、バケツ等に保管しておいて、ゴミ収集日にビニール袋に収納して廃棄物処理車によって処理しているし、又、近年、各家庭で処理可能な生ゴミ処理器を購入して、各家庭で処理をしている。
例えば、引用文献１には、醗酵容器の底部に吸水材を入れた通水性の吸水体を置き、その上に醗酵容器の側面に空隙を有する大きさの通気可能な醗酵袋を入れ、その醗酵袋の中に生ゴミと生ゴミ分解微生物製剤を入れて生ゴミの醗酵を可能とするものであり、必要な空気は空隙によって醗酵袋の下部にも行き渡り、醗酵によって生成の水は吸水材に吸収されて異臭発生を防止するというものである。
【先行技術文献】
【特許文献】
【０００３】
【特許文献１】特開平１０−２７７５２５号公報
【考案の概要】
【考案が解決しようとする課題】
【０００４】
しかしながら、前記引用文献１に開示の容器で生ゴミを発酵させても、異臭が発生し、必ずしも十分な発酵が行なわれていない。
そこで、本考案は、係る不都合を解消する発酵容器を提供するものである。
【課題を解決するための手段】
【０００５】
請求項１の発酵容器は、発酵袋を蓋付き容器本体内に収納して生ゴミを発酵させるものであり、容器本体の底部の上に多孔質体を載置し、生ゴミと生ゴミ分解微生物製剤を前記発酵袋に収納し、蓋と本体容器を通気性と保温を確保できるように形成する。
又、請求項２の発酵容器は、蓋と本体容器をメッシュ網で形成する。
又、請求項３の発酵容器は、発酵袋内中央の底に攪拌紐を取り付けてあることによって攪拌を可能にする。
又、請求項４の発酵容器は、多孔質体をトレーに載置する。
【考案の効果】
【０００６】
本願考案による生ゴミの発酵容器を使用すると、異臭の発生が無く、生ゴミを発酵させることができる。
【図面の簡単な説明】
【０００７】
【図１】発酵袋に生ゴミを投入して攪拌している状態を示す図である。
【図２】発酵袋を容器本体内に収納して発酵状態を示す図である。
【考案を実施するための形態】
【０００８】
本願考案の一実施の形態を図を参照して説明する。図１は発酵容器の一部断面を示す正面である。
発酵容器１は容器本体２と発酵袋１０で構成され、容器本体２は、円柱体、角柱体等の箱状であり、ポリエチレン等の合成樹脂やその他の材質で通気性を有するもの（本例ではメッシュ網１ａ）で、通気性と保温性を確保している。
後述する発酵袋１０で発酵させるには、発酵袋１０内の温度を保持する必要があると共に、好気性菌による発酵をさせるために必要な空気の供給が必要である。そこで、外気温に依存するが、係る条件を満たすような材料で容器本体を形成する。又、この容器本体２の上部には、持ち運びを容易にする吊り手３が付設してある。
又、容器本体２には、ファスナーで閉鎖でいる蓋５が備えられ、この蓋５の材質はポリエチレン等の合成樹脂やその他の材質で通気性を有するもの（本例ではメッシュ網１ａ）であり、通気性と保温性を確保する。又、蓋５の隅部には、蓋の開閉をなす吊り手７が付設してある。
【０００９】
前記容器本体２の底には、トレー８が載置してあり、発酵時に生ずる結露水を貯水する。また、そのトレー８の上には、吸水可能な多孔質物質９である麦飯石、溶岩石、ピートモス、軽石、鹿沼土、赤玉土、ゼオライト、木炭粉、活性炭、もみがら炭、多孔質陶磁片等が載置してある。尚、前記トレー８は、容器本体２の底の下に敷いても、即ち、トレー８の上に、容器本体２を載置してもよい。
【００１０】
次に、生ゴミ等を入れて発酵させる発酵袋１０は、ポリエチレン等の合成樹脂で通気性を有する材質（本例ではメッシュ網１ａ）で袋状に形成されているが、耐久性に劣るが木綿、麻等で形成してもよい。
又、前記発酵袋１０の開口部の周縁には、発酵容器内で開口部を閉開させるための掛け紐１２が適宜の間隔で取り付けてあると共に、開口部を閉じる閉じ紐１５が取り付けてあるし、更に、発酵袋内中央の底には、攪拌紐１８が取り付けてあり、開口部の外から、操作できる長さにしてある。
【００１１】
次に、家庭等から出る生ゴミを発酵させる操作について説明すると、先ず、発酵袋１０を広げて、生ゴミ２０を開口部から投入すると共に、生ゴミ分解微生物製剤２１を投入した後に、図１に示すように、容器本体２内に収納し、掛け紐１２を容器本体２の周縁上に載せて、発酵袋１０の開口部を開口状態にする。
そして、攪拌紐１８を持って、昇降することによって、発酵袋の底が上下動することによって、前記投入した生ゴミ２０と生ゴミ分解微生物製剤２１は攪拌される。尚、前記攪拌紐１８による攪拌の他、発酵袋の開口部を閉鎖して、本体容器２の外で、手で揉みほぐしたりして攪拌しても良い。
【００１２】
また、前記生ゴミ分解微生物製剤２１には、パーライト、ラジオライト、ゼオラト等の多孔質体に好気性菌群である枯草菌、放線菌等、或いは通性嫌気性菌の酵母乳酸菌等を分散吸着し、米糠、ふすま、乾燥おから等を分散混合したもので構成されるが、使用に当たっては前記各成分を適宜選定して作成する。
【００１３】
そして、図２に示すように、前記発酵袋１０の開口部を閉じ紐１５で閉鎖する。そして、蓋５を閉めて放置すると、発酵袋１０内で、発酵が始まる。この発酵は、本体容器２と蓋５を、例えばメッシュ網で形成してあると、本体容器２と蓋５の全体が通気性と保温を確保できるので、好気性菌に対する発酵が円滑に行なわれ、水分が生じて水蒸気として蓋５と本体容器２から排出すると共に、結露水は流下して吸水可能な多孔質物質９で吸収されるし、発生量によりトレー８にも貯まるが、発酵袋１０内における発酵によって昇温すると、発酵袋底部の温度によっては、多孔質物質９に吸水の水が蒸発し、容器本体内の温度と湿度が維持され、嫌気性菌による異臭発生が無い発酵ができる。
【００１４】
又、新たな生ゴミが生じたときには、その生ゴミを前記発酵袋１０に入れて、攪拌した後に、図２に示すように、発酵袋１０の開口部を閉じ紐１５で閉鎖して、蓋５を閉めて放置すると、発酵袋１０内で、発酵が始まる。
尚、生ゴミ分解微生物製剤２１は、既に生ゴミを発酵させると発酵袋内に存在するので、新たに追加する必要はないが、必要なら投入し、攪拌した後に発酵させる。
以上のように、新たに生じる生ゴミを、順次、発酵袋１０に入れて容器本体内に収納して発酵させるが、容器本体１０の全体が通気性と保温性を有しているので、発酵袋１０には十分な空気を供給することができ、好気性菌による発酵が行われる。
このように、通気性を有する蓋５付き本体容器２と発酵袋１０を用いて発酵させるという簡便な構成により、嫌気性菌による異臭が発生しない発酵を行うことができる。
【符号の説明】
【００１５】
１  発酵容器
２  容器本体
８  トレー
９  多孔質物質
１０  発酵袋
１８  攪拌紐
【図１】
0003182563.tif 000003
【図２】
0003182563.tif 000004
【手続補正書】
【提出日】平成25年1月30日(2013.1.30)
【手続補正１】
【補正対象書類名】実用新案登録請求の範囲
【補正対象項目名】全文
【補正方法】変更
【補正の内容】
【実用新案登録請求の範囲】
【請求項１】
発酵袋を蓋付き容器本体内に収納して生ゴミを発酵させる発酵容器であって、
容器本体の底部の上に多孔質体を載置し、
生ゴミと生ゴミ分解微生物製剤を前記発酵袋に収納し、
蓋と本体容器を通気性と保温を確保できる木綿又は麻又は合成樹脂のメッシュ網で形成することを特徴とする発酵容器。
【請求項２】
請求項１の発酵容器であって、
発酵袋内中央の底に攪拌紐を取り付けてあることを特徴とする発酵容器。
【請求項３】
請求項１又は請求項２の発酵容器であって、
多孔質体をトレーに載置することを特徴とする発酵容器。
【手続補正２】
【補正対象書類名】明細書
【補正対象項目名】０００５
【補正方法】変更
【補正の内容】
【０００５】
請求項１の発酵容器は、発酵袋を蓋付き容器本体内に収納して生ゴミを発酵させるものであり、容器本体の底部の上に多孔質体を載置し、生ゴミと生ゴミ分解微生物製剤を前記発酵袋に収納し、蓋と本体容器を通気性と保温を確保できる木綿又は麻又は合成樹脂のメッシュ網で形成する。
又、請求項２の発酵容器は、発酵袋内中央の底に攪拌紐を取り付けてあることによって攪拌を可能にする。
又、請求項３の発酵容器は、多孔質体をトレーに載置する。